(57)【要約】【課題】  屋根構造体に取付けられた屋根設置体を容易かつ短時間に交換することができる屋根設置体の取付方法を提供する。【解決手段】  第１係合孔６に係合部材１１が係合されて屋根構造体の上面に取付けられた屋根材一体型モジュール１を流れ方向Ａ上流側に移動させて、不燃材基板２の流れ方向上流側を湾曲させることによって係合部材１１の係合状態を解除し、屋根材一体型モジュール１を屋根構造体から取外す。次に、新たに取付ける屋根材一体型モジュール１を、流れ方向Ａ下流側から上流側に押動して、不燃材基板２の流れ方向Ａ上流側を湾曲させて、第２係合孔７に係合部材１１を挿通させた後、屋根材一体型モジュール１を流れ方向Ａ下流側へ移動させる。そして、係合部材１１を屋根材一体型モジュール１の第１係合孔６に係合させることによって、屋根材一体型モジュール１を屋根構造体の上面に取付ける。【選択図】      図１
2005194831.tif 000002
【特許請求の範囲】
【請求項１】
屋根構造体に屋根設置体を取付ける屋根設置体の取付方法であって、
前記屋根設置体に、係合部材が係合可能な複数の係合孔を形成し、
前記複数の係合孔に係合部材を係合することによって、前記屋根設置体を屋根構造体の上面に取付けることを特徴とする屋根設置体の取付方法。
【請求項２】
前記複数の係合孔は、第１係合孔と、
第１係合孔の直径寸法よりも大きい直径寸法を有する第２係合孔と、
前記第１係合孔および第２係合孔を連通する連通孔とを含むことを特徴とする請求項１記載の屋根設置体の取付方法。
【請求項３】
前記屋根設置体は、太陽電池モジュールと屋根材となる不燃材基板とを一体にして形成した屋根材一体型太陽電池モジュールであることを特徴とする請求項１記載の屋根設置体の取付方法。
【請求項４】
前記屋根設置体は、屋根材であることを特徴とする請求項１記載の屋根設置体の取付方法。
【発明の詳細な説明】
【技術分野】
【０００１】
本発明は、家屋などの上面に、たとえば屋根材などの屋根設置体を取付けるときに好適に用いられる屋根設置体の取付方法に関する。
【背景技術】
【０００２】
第１の従来技術では、太陽電池モジュールを、釘を用いて家屋の屋根のルーフィング上に取付ける。次に、この太陽電池モジュールの所定の隣り合う２辺に形成される取付部上に他の太陽電池モジュールの一部を重ねるとともに、この重ねた部分を釘止めすることによって、前記太陽電池モジュールに他の太陽電池モジュールを取付ける。前述のようにして、順次、太陽電池モジュールを屋根上方に取付けた後、太陽電池モジュール間の隙間に流動性を有するシーリング材を充填する。各太陽電池モジュールの所定の位置には切欠き部が形成されており、４つの太陽電池モジュールによって囲まれた部分には、各太陽電池モジュールの切欠き部によって貫通孔が形成される。この貫通孔に木ねじなどのねじ部材を螺着して、周囲の４つの太陽電池モジュールを野地板または垂木に固定する。これによって、太陽電池モジュールは屋根上に確実に固定される（たとえば、特許文献１参照）。
【０００３】
第２の従来技術では、太陽電池の側方に電池保護層を延長して形成される非発電領域にモジュール設置用の取付け孔を形成し、この取付け孔に、同心の中空部を有する円筒部材を嵌合し、かつ同心のねじ貫通孔を有し、その外径寸法が円筒部材の中空部の内径寸法よりも小さい円筒状の胴体部と、この胴体部の一側部に設けられ、その外径寸法がモジュール設置用取付け孔の直径寸法よりも大きいフランジとを備えるフランジ付き円筒こまの胴体部を、円筒部材の中空部に挿入し、さらにねじ貫通孔にねじ部材を螺着することによって、太陽電池モジュールが設置用架台に固定される（たとえば、特許文献２参照）。
【０００４】
【特許文献１】特開昭６０−６６４５７号公報
【特許文献２】特開２００２−１６２７７号公報
【発明の開示】
【発明が解決しようとする課題】
【０００５】
前述の第１および第２の従来技術では、釘およびねじ部材を用いて、家屋の屋根のルーフィング上または架台に太陽電池モジュールを取付けている。この屋根上に取付けられた太陽電池モジュールを、新たな太陽電池モジュールと交換するときには、釘およびねじ部材を引抜くなどの作業を行い、太陽電池モジュールを屋根上から取外す必要がある。
【０００６】
太陽電池モジュールの交換作業において、太陽電池モジュールを交換作業前の取付位置と同じ位置に取付けるときには、取外す太陽電池モジュールを支持していたルーフィング材および野地板などに形成される貫通孔に、再度、釘およびねじ部材を打設することになる。前述のように、同じ貫通孔に何度も釘およびねじ部材を打設すると、貫通孔の直径寸法が所定の寸法よりも大きくなり、釘およびねじ部材を打設したときに緩みが生じてしまうので、太陽電池モジュールの屋根に対する安定性が悪くなるという問題がある。
【０００７】
太陽電池モジュールの屋根に対する安定性の悪化を防ぐために、ルーフィング材および野地板に、釘およびねじ部材を打設するための新たな貫通孔を形成し、形成した貫通孔に釘およびねじ部材を打設することによって、太陽電池モジュールを屋根上に取付けることもできる。しかし、前述のように、新たに形成した貫通孔に釘およびねじ部材を打設することによって新たな太陽電池モジュールを屋根上に取付けると、太陽電池モジュールの交換作業の前後で、屋根に対する太陽電池モジュールの取付け位置が変位してしまう。さらに、ルーフィング材および野地板に新たな貫通孔を形成すると、前に形成された貫通孔が不要になるという問題がある。
【０００８】
また屋根上に、たとえばスレート屋根材と呼称される屋根材を葺く場合は、数本の釘などを用いてスレート屋根材を軒側の野地板に取付けて固定した後、釘などで打付けた箇所を覆い隠すようにして他のスレート屋根材を棟側にずらして重ね、同様に数本の釘などを用いて野地板に取付けて固定する。また、屋根材の隙間から雨水が野地板に浸入しないように、屋根材を軒に平行な方向の一方側にずらして重ね合わせている。したがって、前述のように取付けられたスレート屋根材の交換作業を行うときには、交換の対象となる屋根材とそれに重なり合う棟寄りの屋根材との隙間から専用の治具を差込み、釘を押曲げて引抜く作業が必要になる。
【０００９】
さらに、スレート屋根材を交換し、再び釘を用いて野地板に取付けて固定するためには、棟側の屋根材が軒側の屋根材の一部を覆うようにしてすべての屋根材が重なり合っている都合上、交換対象のスレート屋根材よりも棟側に位置するすべての屋根材を取除かなければならない。このように、スレート屋根材を交換し、再び釘を用いて野地板に取付けて固定する作業は、手間がかかるとともに多くの時間を要するという問題がある。さらに、前述のような作業を行うと、不具合が生じていない屋根材に悪影響を及ぼす可能性が生じるという問題がある。
【００１０】
このため、スレート屋根材を交換して再び野地板に取付けて固定するときには、樹脂を用いることが多い。しかし、樹脂の取扱いによってはスレート屋根材の外観を汚したり、スレート屋根材のずれおよび浮きなどによって、再度野地板に取付けて固定したスレート屋根材の外観に違和感を生じさせるおそれがあるという問題がある。
【００１１】
また、最初から樹脂を用いてスレート屋根材を屋根上に接着固定させることもできる。しかし、樹脂を用いてスレート屋根材を屋根上に接着固定させる作業は、仮固定を必要とするので、手間がかかるとともにスレート屋根材が屋根上に接着するまでに多くの時間を要する。さらに、樹脂によって接着固定されたスレート屋根材を交換するためには、強力に接着された樹脂を剥離させなければならないので、作業が困難でかつ樹脂の剥離作業の時間に多くの時間を要するという問題がある。
【００１２】
本発明の目的は、屋根構造体に取付けられた屋根設置体を容易かつ短時間に交換することができる屋根設置体の取付方法を提供することである。
【課題を解決するための手段】
【００１３】
本発明は、屋根構造体に屋根設置体を取付ける屋根設置体の取付方法であって、
前記屋根設置体に、係合部材が係合可能な複数の係合孔を形成し、
前記複数の係合孔に係合部材を係合することによって、前記屋根設置体を屋根構造体の上面に取付けることを特徴とする屋根設置体の取付方法である。
【００１４】
本発明に従えば、屋根設置体に、係合部材が係合可能な複数の係合孔を形成する。この屋根設置体を屋根構造体の上面に積載し、前記複数の係合孔に係合部材を係合することによって、前記屋根設置体を屋根構造体の上面に取付ける。屋根構造体の上面に屋根設置体を取付けた後に、たとえば前記取付けた屋根設置体を、別の屋根設置体と交換するときには、まず屋根設置体を所定の方向、たとえば屋根構造体の棟側に向かう方向へ移動させる。前述のように屋根設置体を移動させることによって、係合部材を、相対的に屋根構造体の軒側に向かう方向へ移動させる。これによって、屋根設置体に対する係合部材の係合状態を解除し、屋根構造体から屋根設置体を取外す。
【００１５】
次に、取外した屋根設置体に代えて別の屋根設置体を積載し、この積載した屋根設置体の係合孔に、屋根構造体に固定されている係合部材を挿通させた後、屋根設置体を所定の方向、たとえば屋根構造体の軒側に向かう方向へ移動させる。前述のように屋根設置体を移動させることによって、係合部材を、相対的に屋根構造体の棟側に向かう方向へ移動させる。そして、係合孔に係合部材を係合させることによって、屋根設置体を屋根構造体に取付ける。
【００１６】
前述のように、屋根設置体に形成される複数の係合孔に係合部材を係合させるだけで、屋根構造体の上面に屋根設置体を取付けることができるので、従来技術のように屋根設置体の交換作業を行うたびに、釘およびねじ部材を打設および抜脱する必要がなく、かつ釘およびねじ部材に緩みが生じることがない。
【００１７】
したがって、屋根構造体の上面に屋根設置体を取付けた後で、屋根設置体の屋根構造体に対する安定性が悪化することを防止することができる。また、屋根設置体の屋根構造体に対する安定性が悪化することを防止することができるので、従来技術のように釘およびねじ部材を打設するための貫通孔を新たに形成する必要がなく、不要な貫通孔を形成しなくて済む。
【００１８】
また、屋根設置体の交換作業時において、屋根設置体を所定の方向に移動させるだけで、係合部材の係合状態を解除し、屋根構造体に取付けた屋根設置体を取外すことができるので、たとえば釘抜きおよびドライバなどの専用工具を用いずに、容易に屋根設置体の交換作業を行うことができる。これによって、利便性が向上する。さらに、屋根構造体に固定されている係合部材を、屋根設置体に形成される複数の係合孔に同時に係合させることができるので、屋根構造体の上面に屋根設置体を容易かつ短時間に取付けることができる。
【００１９】
また本発明は、前記複数の係合孔は、第１係合孔と、
第１係合孔の直径寸法よりも大きい直径寸法を有する第２係合孔と、
前記第１係合孔および第２係合孔を連通する連通孔とを含むことを特徴とする。
【００２０】
本発明に従えば、屋根設置体を屋根構造体の上面に積載し、複数の係合孔の第１係合孔に係合部材を係合することによって、屋根設置体を屋根構造体の上面に取付ける。屋根構造体の上面に取付けた屋根設置体の交換作業を行うときには、まず、屋根設置体を所定の方向、たとえば屋根構造体の棟側に向かう方向に移動させる。前述のように屋根設置体を移動させることによって、係合部材を、相対的に屋根構造体の軒側に向かう方向、換言すれば第１係合孔から、第１係合孔の直径寸法よりも大きい直径寸法を有する第２係合孔に向かう方向へ連通孔を通じて移動させる。これによって、屋根設置体に対する係合部材の係合状態を解除して、屋根構造体から屋根設置体を取外す。
【００２１】
次に、取外した屋根設置体に代えて別の屋根設置体を積載し、この積載した屋根設置体の第２係合孔に、屋根構造体に固定されている係合部材を挿通させた後、屋根設置体を所定の方向、たとえば屋根構造体の軒側に向かう方向に移動させる。前述のように屋根設置体を移動させることによって、係合部材を、相対的に屋根構造体の棟側に向かう方向、換言すれば第２係合孔から第１係合孔に向かう方向へ連通孔を通じて移動させる。そして、第１係合孔に係合部材を係合させることによって、屋根構造体に屋根設置体を取付ける。
【００２２】
前述のように、屋根設置体に形成される複数の係合孔の第１係合孔に係合部材を係合させるだけで、屋根構造体の上面に屋根設置体を取付けることができるので、たとえば釘抜きおよびドライバなどの専用工具を用いずに、容易に屋根設置体の交換作業を行うことができる。これによって、利便性が向上する。また、屋根構造体に固定されている係合部材を、屋根設置体に形成される複数の係合孔の第１係合孔に同時に係合させることができるので、屋根構造体の上面に屋根設置体を容易かつ短時間に取付けることができる。
【００２３】
また本発明は、前記屋根設置体は、太陽電池モジュールと屋根材となる不燃材基板とを一体にして形成した屋根材一体型太陽電池モジュールであることを特徴とする。
【００２４】
本発明に従えば、屋根設置体は、太陽電池モジュールと屋根材となる不燃材基板とを一体にして形成した屋根材一体型太陽電池モジュールである。係合部材が係合可能な複数の係合孔が形成される屋根材一体型太陽電池モジュールを屋根構造体の上面に積載し、前記複数の係合孔に係合部材を係合することによって、屋根材一体型太陽電池モジュールを屋根構造体の上面に取付ける。
【００２５】
前述のように、屋根材一体型太陽電池モジュールに形成される複数の係合孔に係合部材を係合させるだけで、屋根構造体の上面に屋根材一体型太陽電池モジュールを取付けることができるので、従来技術のように太陽電池モジュールなどの屋根設置体の交換作業を行うたびに、釘およびねじ部材を打設および抜脱する必要がなく、かつ釘およびねじ部材に緩みが生じることがない。
【００２６】
したがって、屋根構造体の上面に屋根材一体型太陽電池モジュールを取付けた後で、屋根材一体型太陽電池モジュールの屋根構造体に対する安定性が悪化することを防止することができる。また、屋根材一体型太陽電池モジュールの屋根構造体に対する安定性が悪化することを防止することができるので、従来技術のように釘およびねじ部材を打設するための貫通孔を新たに形成する必要がなく、不要な貫通孔を形成しなくて済む。
【００２７】
また、屋根材一体型太陽電池モジュールの交換作業時において、屋根材一体型太陽電池モジュールを所定の方向に移動させるだけで、係合部材の係合状態を解除し、屋根構造体に取付けた屋根材一体型太陽電池モジュールを取外すことができるので、たとえば釘抜きおよびドライバなどの専用工具を用いずに、容易に屋根材一体型太陽電池モジュールの交換作業を行うことができる。これによって、利便性が向上する。
【００２８】
さらに、屋根材一体型太陽電池モジュールに形成される複数の係合孔に、屋根構造体に固定されている係合部材を同時に係合させることができるので、屋根構造体の上面に屋根材一体型太陽電池モジュールを容易かつ短時間に取付けることができる。
【００２９】
また本発明は、前記屋根設置体は、屋根材であることを特徴とする。
本発明に従えば、屋根設置体は、屋根材である。係合部材が係合可能な複数の係合孔が形成される屋根材を屋根構造体の上面に積載し、前記複数の係合孔に係合部材を係合することによって、屋根材を屋根構造体の上面に取付ける。
【００３０】
前述のように、屋根材に形成される複数の係合孔に係合部材を係合させるだけで、屋根構造体の上面に屋根材を取付けることができるので、従来技術のように屋根材の交換作業を行うたびに、釘およびねじ部材を打設および抜脱する必要がなく、かつ釘およびねじ部材に緩みが生じることがない。
【００３１】
したがって、屋根構造体の上面に屋根材を取付けた後で、屋根材の屋根構造体に対する安定性が悪化することを防止することができるとともに、従来技術のように釘が変形することを防止することができる。また、屋根材の屋根構造体に対する安定性が悪化することを防止することができるので、従来技術のように釘およびねじ部材を打設するための貫通孔を新たに形成する必要がなく、不要な貫通孔を形成しなくて済む。
【００３２】
また、屋根材の交換作業時において、屋根材を所定の方向に移動させるだけで、係合部材の係合状態を解除し、屋根構造体に取付けた屋根材を取外すことができるので、たとえば釘抜きおよびドライバなどの専用工具を用いずに、容易に屋根材の交換作業を行うことができる。これによって、利便性が向上する。
【００３３】
さらに、屋根材に形成される複数の係合孔に、屋根構造体に固定されている係合部材を同時に係合させることができるので、屋根構造体の上面に屋根材を容易かつ短時間に取付けることができる。
【発明の効果】
【００３４】
以上のように本発明によれば、従来技術のように屋根設置体の交換作業を行うたびに、釘およびねじ部材を打設および抜脱する必要がなく、かつ釘およびねじ部材に緩みが生じることがない。したがって、屋根構造体の上面に屋根設置体を取付けた後で、屋根設置体の屋根構造体に対する安定性が悪化することを防止することができる。これによって、従来技術のように釘およびねじ部材を打設するための貫通孔を新たに形成する必要がなく、不要な貫通孔を形成しなくて済む。
【００３５】
また、たとえば釘抜きおよびドライバなどの専用工具を用いずに、容易に屋根設置体の交換作業を行うことができる。これによって、利便性が向上する。さらに、屋根設置体に形成される複数の係合孔に、屋根構造体に固定されている係合部材を同時に係合させることができるので、屋根構造体の上面に屋根設置体を容易かつ短時間に取付けることができる。
【００３６】
また本発明によれば、屋根設置体に形成される複数の係合孔の第１係合孔に係合部材を係合させるだけで、屋根構造体の上面に屋根設置体を取付けることができるので、たとえば釘抜きおよびドライバなどの専用工具を用いずに、容易に屋根設置体の交換作業を行うことができる。これによって、利便性が向上する。また、屋根設置体に形成される複数の係合孔の第１係合孔に、屋根構造体に固定されている係合部材を同時に係合させることができるので、屋根構造体の上面に屋根設置体を容易かつ短時間に取付けることができる。
【００３７】
また本発明によれば、従来技術のように屋根設置体の交換作業を行うたびに、釘およびねじ部材を打設および抜脱する必要がなく、かつ釘およびねじ部材に緩みが生じることがない。したがって、屋根構造体の上面に屋根材一体型太陽電池モジュールを取付けた後で、屋根材一体型太陽電池モジュールの屋根構造体に対する安定性が悪化することを防止することができる。これによって、従来技術のように釘およびねじ部材を打設するための貫通孔を新たに形成する必要がなく、不要な貫通孔を形成しなくて済む。
【００３８】
また、たとえば釘抜きおよびドライバなどの専用工具を用いずに、容易に屋根材一体型太陽電池モジュールの交換作業を行うことができる。これによって、利便性が向上する。さらに、屋根材一体型太陽電池モジュールに形成される複数の係合孔に、屋根構造体に固定されている係合部材を同時に係合させることができるので、屋根構造体の上面に屋根材一体型太陽電池モジュールを容易かつ短時間に取付けることができる。
【００３９】
また本発明によれば、従来技術のように屋根材の交換作業を行うたびに、釘およびねじ部材を打設および抜脱する必要がなく、かつ釘およびねじ部材に緩みが生じることがない。したがって、屋根構造体の上面に屋根材を取付けた後で、屋根材の屋根構造体に対する安定性が悪化することを防止することができるとともに、従来技術のように釘が変形することを防止することができる。これによって、従来技術のように釘およびねじ部材を打設するための貫通孔を新たに形成する必要がなく、不要な貫通孔を形成しなくて済む。
【００４０】
また、たとえば釘抜きおよびドライバなどの専用工具を用いずに、容易に屋根材の交換作業を行うことができる。これによって、利便性が向上する。さらに、屋根材に形成される複数の係合孔に、屋根構造体に固定されている係合部材を同時に係合させることができるので、屋根構造体の上面に屋根材を容易かつ短時間に取付けることができる。
【発明を実施するための最良の形態】
【００４１】
図１は、本発明の実施の一形態である屋根材一体型太陽電池モジュール１の屋根構造体に対する取付構造を簡略化して示す断面図である。図２は、屋根構造体に取付けられた屋根材一体型太陽電池モジュール１を示す正面図である。図３は、屋根構造体に取付けられた屋根材１０を示す正面図である。図４は、屋根材一体型太陽電池モジュール１および屋根材１０に形成される係合孔５を拡大して示す正面図である。
【００４２】
屋根構造体には、屋根葺き仕上げのための下地板である野地板９が設けられる。本実施形態において、野地板９の上面には、屋根材一体型太陽電池モジュール（以下、「屋根材一体型モジュール」と表記する場合がある）１および屋根材１０が取付けられる。屋根材一体型モジュール１は、屋根材として機能する不燃材基板２と太陽電池モジュール３とを一体にして形成される。前記屋根構造体は、たとえば木造建築物である。本実施形態において、屋根構造体の上面に取付けられる屋根材一体型モジュール１および屋根材１０は、屋根設置体に相当する。
【００４３】
図１〜図３において、屋根構造体の棟側から軒側へ向かう方向を矢符Ａで表す。以下、矢符Ａで表す方向を「流れ方向Ａ」と表記する場合がある。また、屋根構造体の棟側を「流れ方向Ａ上流側」、屋根構造体の軒側を「流れ方向Ａ下流側」と表記する場合がある。屋根材一体型モジュール１および屋根材１０が屋根構造体の上面に取付けられたときの屋根材一体型モジュール１、不燃材基板２、太陽電池モジュール３および屋根材１０に関する説明において、特に限定しない場合、流れ方向Ａは、屋根材一体型モジュール１、不燃材基板２、太陽電池モジュール３および屋根材１０それぞれの流れ方向Ａを意味する。
【００４４】
不燃材基板２は、太陽電池モジュール３を搭載するための基板である。不燃材基板２は、可撓性を有し、変形可能に形成される。不燃材基板２は、ガルバリウム鋼板、表面フッ素処理およびアルマイト処理などによって防食加工を施したアルミ板などの金属基板、人工木材、ガラス繊維強化石膏および珪酸カルシウム系建材などによって実現される。
【００４５】
図２において、不燃材基板２および太陽電池モジュール３の厚み方向一方側の表面に関して、流れ方向Ａに垂直な方向を矢符Ｂで表す。以下、矢符Ｂで表す方向を「桁行方向Ｂ」と表記する場合がある。屋根材一体型モジュール１が屋根構造体の上面に取付けられたときの不燃材基板２および太陽電池モジュール３に関する説明において、特に限定しない場合、桁行方向Ｂは、不燃材基板２および太陽電池モジュール３それぞれの桁行方向Ｂを意味する。
【００４６】
不燃材基板２は、第１辺Ｌ１、第２辺Ｌ２、第３辺Ｌ３、第４辺Ｌ４および第５辺Ｌ５が順次連なり、五角形状に形成される。第１辺Ｌ１は、桁行方向Ｂに平行である。第１辺Ｌ１には、第２辺Ｌ２および第５辺Ｌ５が連なる。第２辺Ｌ２および第５辺Ｌ５は、流れ方向Ａに平行で、かつ長さ寸法が等しい。第２辺Ｌ２には第３辺Ｌ３が連なり、第５辺Ｌ５には第４辺Ｌ４が連なる。また、第３辺Ｌ３と第４辺Ｌ４とが連なる。第３辺Ｌ３および第４辺Ｌ４は、流れ方向Ａ上流側に向かうにつれて、桁行方向Ｂ中央部に近づくように傾斜している。第２辺Ｌ２と第３辺Ｌ３とのなす角度、および第５辺Ｌ５と第４辺Ｌ４とのなす角度は、等しい。第１辺Ｌ１と第２辺Ｌ２とのなす角度、および第１辺Ｌ１と第５辺Ｌ５とのなす角度は等しく、略直角である。
【００４７】
太陽電池モジュール３は、複数の太陽電池セル３ａを含んで構成される。太陽電池セル３ａは、太陽光による光エネルギーを直接電力に変換する太陽光発電装置に用いられる。太陽電池モジュール３は、長方形状に形成される。太陽電池モジュール３の長辺は、不燃材基板２の桁行方向Ｂと平行になるように、かつ太陽電池モジュール３の短辺は、不燃材基板２の流れ方向Ａと平行になるように、不燃材基板２の流れ方向Ａ一端部に搭載される。
【００４８】
太陽電池モジュール３の桁行方向Ｂの両端部には、流れ方向Ａと平行になるように薄型コネクタ一体型ケーブル（以下、「コネクタ一体型ケーブル」と表記する場合がある）４が設けられる。
【００４９】
屋根材となる不燃材基板２に太陽電池モジュール３が係合され、屋根材一体型モジュール１として施工される現場に配置されたとき、作業者によって屋根材一体型モジュール１のコネクタ一体型ケーブル４が持上げられる場合がある。作業者によって前述のように屋根材一体型モジュール１が取扱われた場合、コネクタ一体型ケーブル４が太陽電池モジュール３の桁行方向Ｂの両端部で固定されているだけでは、太陽電池モジュール３とコネクタ一体型ケーブル４との接続部分から太陽電池モジュール本体に対する応力が大きくなり、太陽電池モジュール３が損傷するおそれがあるという問題がある。
【００５０】
前述のような問題を避けるために、本実施形態において、不燃材基板２の流れ方向Ａ上流側で、かつ桁行方向Ｂの両端部には、コネクタ一体型ケーブル４の厚み方向一方への変位を阻止する第１拘束部２１が形成される。また、不燃材基板２の流れ方向Ａ略中央部で、かつ桁行方向Ｂの両端部には、コネクタ一体型ケーブル４の厚み方向一方への変位を阻止する第２拘束部２２が形成される。第２拘束部２２は、第１拘束部２１よりも流れ方向Ａ下流側で、かつ第１拘束部２１よりも桁行方向Ｂ中央寄りに形成される。
【００５１】
不燃材基板２の桁行方向Ｂの両端部に形成される第１拘束部２１および第２拘束部２２は、いずれも同様に機能するので、ここでは、不燃材基板２の桁行方向Ｂ一端部に形成される第１拘束部２１および第２拘束部２２についてのみ説明し、不燃材基板２の桁行方向Ｂ他端部に形成される第１拘束部２１および第２拘束部２２の説明を省略する。
【００５２】
不燃材基板２の流れ方向Ａ上流側で、かつ桁行方向Ｂの一端部には、桁行方向Ｂに延びて、流れ方向Ａに並ぶ２つの切欠きが形成される。この２つの切欠きの間の部分は、厚み方向一方に屈曲して、太陽電池モジュール３の桁行方向Ｂ一端部に設けられるコネクタ一体型ケーブル４を、不燃材基板２の桁行方向Ｂ一方から拘束し、前述の第１拘束部２１を実現する。また、不燃材基板２の流れ方向Ａ略中央部で、かつ第１拘束部２１よりも桁行方向Ｂ中央寄りには、略Ｕ字状の貫通孔が形成される。この貫通孔に囲まれる部分が屈曲して、太陽電池モジュール３の桁行方向Ｂ一端部に設けられるコネクタ一体型ケーブル４を、不燃材基板２の桁行方向Ｂ他方から拘束し、前述の第２拘束部２２を実現する。
【００５３】
第１および第２拘束部２１，２２は、コネクタ一体型ケーブル４を拘束することによって、太陽電池モジュール３とコネクタ一体型ケーブル４との接続部分に応力が働いても、応力が太陽電池モジュール３に伝達することを阻止する。これによって、作業者によってコネクタ一体型ケーブル４が持上げられときの太陽電池モジュール３の損傷を抑止することができる。
【００５４】
また、屋根構造体の上面に取付けられた所定の屋根材一体型モジュール１に、たとえば他の屋根材一体型モジュール１を重ね合わせるときは、屋根構造体の上面に取付けられた屋根材一体型モジュール１に含まれる不燃材基板２の第３辺Ｌ３と第４辺Ｌ４とが連なって形成される頂点の位置に、不燃材基板２の流れ方向Ａ略中央部で、かつ第１拘束部２１よりも桁行方向Ｂ中央寄りに形成された略Ｕ字状の貫通孔に囲まれる部分が屈曲したときの頂点を合わせることによって、専用の治具を用いずに予め定める葺き足部分を残して、屋根材一体型モジュール１を重ね合わせることができる。これによって、隣接する屋根材一体型モジュール１の隙間から雨水が浸入することを防ぐことができる。前記略Ｕ字状の貫通孔に囲まれる部分が屈曲したときの頂点は、前記貫通孔の桁行方向Ｂにおける中央位置である。
【００５５】
ここで、葺き足とは、屋根材一体型モジュール１に、たとえば他の屋根材一体型モジュール１を重ね合わせたとき、屋根材流れ方向Ａ下流側の屋根材一体型モジュール１と、流れ方向Ａ上流側の屋根材一体型モジュール１とが重なり合わない面をいう。
【００５６】
前述の２つの切欠きは、コネクタ一体型ケーブル４を拘束するための機能を有する。前記２つの切欠きのうち屋根材流れ方向Ａ下流側の切欠きは、屋根材一体型モジュール１を重ね合わせるときに位置合わせを容易に行うための機能も有する。
【００５７】
複数の太陽電池モジュール３を接続する配線間には、ダイオードチップ２３が設けられる。ダイオードチップ２３は、太陽電池セル３ａの最大定格電流を通電した場合に、そのチップ温度が定格内に収まる規格のものを用いている。ダイオードチップ２３は、放熱し易いように銅線に重ねて接続される。ダイオードチップ２３は、バイパス機能によって、日照時に木の葉などで部分的に太陽電池セル３ａが覆い隠されて抵抗体となった太陽電池モジュール３を迂回して電気を流れやすくして、太陽電池モジュール全体の発電能力を極端に低下させないようにするために設けられる。
【００５８】
屋根材１０は、図３に示すように、屋根材一体型モジュール１と同形状に形成される。屋根材１０は、可撓性を有し、変形可能に形成される。本実施形態の屋根材１０は、たとえばスレート屋根材によって実現される。図３において、屋根材１０の厚み方向一方側の表面に関して、流れ方向Ａに垂直な方向を矢符Ｂで表す。以下、矢符Ｂで表す方向を「桁行方向Ｂ」と表記する場合がある。屋根材１０が屋根構造体の上面に取付けられたときの屋根材１０に関する説明において、特に限定しない場合、桁行方向Ｂは、屋根材１０の桁行方向Ｂを意味する。
【００５９】
屋根材１０は、第１辺Ｍ１、第２辺Ｍ２、第３辺Ｍ３、第４辺Ｍ４および第５辺Ｍ５が順次連なり、五角形状に形成される。第１辺Ｍ１は、桁行方向Ｂに平行である。第１辺Ｍ１には、第２辺Ｍ２および第５辺Ｍ５が連なる。第２辺Ｍ２および第５辺Ｍ５は、流れ方向Ａに平行で、かつ長さ寸法が等しい。第２辺Ｍ２には第３辺Ｍ３が連なり、第５辺Ｍ５には第４辺Ｍ４が連なる。また、第３辺Ｍ３と第４辺Ｍ４とが連なる。第３辺Ｍ３および第４辺Ｍ４は、流れ方向Ａ上流側に向かうにつれて、桁行方向Ｂ中央部に近づくように傾斜している。第２辺Ｍ２と第３辺Ｍ３とのなす角度、および第５辺Ｍ５と第４辺Ｍ４とのなす角度は、等しい。第１辺Ｍ１と第２辺Ｍ２とのなす角度、および第１辺Ｍ１と第５辺Ｍ５とのなす角度は等しく、略直角である。
【００６０】
また、屋根材１０の流れ方向Ａ上流側で、かつ桁行方向Ｂの両端部には、桁行方向Ｂに延びて、流れ方向Ａに並ぶ２つの切欠きが形成される。この２つの切欠きは、屋根構造体の上面に取付けられた所定の屋根材に、たとえば他の屋根材を重ね合わせるときに用いられる。詳細に述べると、屋根構造体の上面に取付けられた所定の屋根材に、たとえば他の屋根材を重ね合わせるときは、屋根構造体の上面に取付けられた屋根材の第３辺Ｍ３と第４辺Ｍ４とが連なって形成される頂点の位置に、前記屋根材の流れ方向Ａ上流側で、かつ桁行方向Ｂの両端部に、桁行方向Ｂに延びて、流れ方向Ａに並んで形成される２つの切欠きの中央位置を合わせることによって、専用の治具を用いずに予め定める葺き足部分を残して、屋根材を重ね合わせることができ、隣接する屋根材との隙間から雨水が浸入することを防ぐことができる。
【００６１】
屋根材一体型モジュール１において、不燃材基板２の流れ方向Ａ中央部よりも流れ方向Ａ上流側には、不燃材基板２の厚み方向に貫通する複数の、本実施形態では４つの係合孔５が形成される。詳細に述べると、前記係合孔５は、不燃材基板２の桁行方向Ｂの両端部、ならびに不燃材基板２の桁行方向Ｂ中央部よりも桁行方向Ｂ一方寄りおよび他方寄りに間隔をあけて、それぞれ形成される。
【００６２】
また、屋根材１０の流れ方向Ａ中央部よりも流れ方向Ａ上流側には、屋根材１０の厚み方向に貫通する複数の、本実施形態では４つの係合孔５が形成される。詳細に述べると、前記係合孔５は、屋根材１０の桁行方向Ｂの両端部、ならびに屋根材１０の桁行方向Ｂ中央部よりも桁行方向Ｂ一方寄りおよび他方寄りに間隔をあけて、それぞれ形成される。
【００６３】
なお、係合孔５を、屋根材一体型モジュール１および屋根材１０の前述した位置に形成することによって、たとえば暴風雨などの悪天候のときであっても、重ね合わされた屋根材一体型モジュール１または屋根材１０の隙間から雨水が浸入することを防いでいる。また、屋根材一体型モジュール１および屋根材１０の前述した位置に、太陽電池モジュール３が設置される位置から所定の間隔をあけて係合孔５を形成することによって、係合孔５に係合部材１１を挿通させて固定するときに、金槌などの工具で太陽電池モジュール３を破損することを防いでいる。
【００６４】
係合孔５は、第１係合孔６、第２係合孔７および連通孔８を含んで構成される。本実施形態の第１および第２係合孔６，７は、大略的に円形状である。連通孔８は、第１係合孔６と第２係合孔７との間を連通する。第１係合孔６および第２係合孔７には、係合部材１１が挿通される。係合部材１１は、頭部および軸部を含む。ここで、本実施形態の係合部材１１は、たとえば釘およびボルトによって実現される。
【００６５】
第１係合孔６の直径寸法Ｄ３は、係合部材１１の軸部の直径寸法Ｄ１よりも大きく、かつ係合部材１１の頭部の直径寸法Ｄ２よりも小さくなるように形成する。また連通孔８の幅寸法Ｄ４は、係合部材１１の軸部の直径寸法Ｄ１よりも大きくなるように形成する。
【００６６】
第２係合孔７の直径寸法Ｄ５は、係合部材１１の頭部の直径寸法Ｄ２よりも大きくなるように形成する。したがって、第１係合孔６の直径寸法Ｄ３は、連通孔８の幅寸法Ｄ４よりも大きく、第２係合孔７の直径寸法Ｄ５よりも小さい。
【００６７】
連通孔８は、前記係合部材１１の軸部を移動可能で、かつ係合部材１１を挿通したときに抜落ちない程度の幅寸法になるように形成する。本実施形態の連通孔８は、図４に示すように、たとえば直線状に形成する。
【００６８】
本実施形態において、屋根構造体に設けられる野地板９の上部には、屋根材一体型モジュール１が配置されるとともに、屋根材一体型モジュール１の周辺に屋根材１０が配置される。本実施形態では、屋根材一体型モジュール１ならびに屋根材一体型モジュール１の周辺に配置される第１屋根材１０ａ、第２屋根材１０ｂおよび第３屋根材１０ｃの取付方法について説明する。以下の説明において、不特定の屋根材を示す場合、「屋根材１０」のように、参照符において添え字「ａ」、「ｂ」および「ｃ」を省略することがある。
【００６９】
屋根構造体の上面には、流れ方向Ａ上流側の屋根材一体型モジュール１または屋根材１０が、流れ方向Ａ下流側の屋根材一体型モジュール１または屋根材１０と野地板９との係合部分を覆い隠すようにして積載される。本実施形態では、図１に示すように、屋根構造体の流れ方向Ａ下流側から流れ方向Ａ上流側に向かって順に、第１屋根材１０ａ、第１屋根材一体型モジュール１ａ、第２屋根材１０ｂ、第２屋根材一体型モジュール１ｂのように、屋根材一体型モジュール１と屋根材１０とが交互に積載される。ただし、屋根構造体の鉛直上方から屋根構造体を見たとき、野地板９の厚み方向一方側の表面に関して、流れ方向Ａに垂直な方向（以下、「桁行方向」と表記する場合がある）に、屋根材一体型モジュール１または屋根材１０を敷設してから、流れ方向Ａ上流側に、屋根材一体型モジュール１または屋根材１０の積載を進めていく。
【００７０】
屋根材一体型モジュール１の積載数は、太陽電池モジュール３を用いた発電システムから出力される電力に比例する。屋根材一体型モジュール１と、他の屋根材一体型モジュール１または屋根材１０との積載順序は、屋根構造体の形状、複数の太陽電池モジュール３を接続するときの配線条件、ならびに屋根材一体型モジュール１および屋根材１０を屋根構造体の上面に取付けるときの作業性に応じて、適宜変えてもよい。また、屋根材一体型モジュール１と、他の屋根材一体型モジュール１または屋根材１０との積載順序は、屋根材一体型モジュールを用いて屋根構造体の上面に予め定めるデザインを描く場合にも、描くデザインに応じて、適宜変えればよい。
【００７１】
前述のように、屋根構造体の流れ方向Ａに対して、屋根材一体型モジュール１と屋根材１０とを交互に、屋根構造体の上面に積載することによって、屋根材一体型モジュール１の交換時および施工時に、屋根材１０を足場にして作業を行うことができるようにしている。換言すれば、屋根材一体型モジュール１を施工後、それ自体が足場とならないように配慮して、屋根材一体型モジュール１および屋根材１０を屋根構造体の上面に積載している。屋根材一体型モジュール１と屋根材１０とは、必ずしも交互に積載する必要はなく、たとえば屋根材一体型モジュール１の敷設面積が制限される場合には、太陽電池モジュール３を用いた発電システムから出力される電力を確保するために、複数の屋根材一体型モジュール１を重ね合わせて、屋根構造体の上面に積載させてもよい。
【００７２】
本実施形態では、流れ方向Ａ下流側の最下段における第１屋根材１０ａに形成された第１係合孔６に係合部材１１を挿通して、第１屋根材１０ａおよび野地板９に係合部材１１を係合させる。これによって、第１屋根材１０ａと野地板９とが連結される。流れ方向Ａ下流側の最下段は、スターターと呼称され、流れ方向Ａに関して葺き足の長さ寸法の短い屋根材１０または葺き足のない屋根材が野地板９に連結され、その後に屋根材一体型モジュール１または屋根材１０がスターターの上部に重ねられて野地板９に連結される。
【００７３】
第１屋根材１０ａよりも流れ方向Ａ上流側の第１屋根材一体型モジュール１ａにおける流れ方向Ａ下流側の端部は、第１屋根材１０ａの上部に積載される。第１屋根材一体型モジュール１ａを屋根構造体に取付けるために、第１屋根材一体型モジュール１ａの不燃材基板２に形成された第１係合孔６に係合部材１１を挿通して、第１屋根材一体型モジュール１ａの不燃材基板２および野地板９に係合部材１１を係合させる。これによって、第１屋根材一体型モジュール１ａと野地板９とが連結される。
【００７４】
第１屋根材一体型モジュール１ａよりも流れ方向Ａ上流側の第２屋根材１０ｂにおける流れ方向Ａ下流側の端部は、第１屋根材一体型モジュール１ａの太陽電池モジュール３の上部に積載される。第２屋根材１０ｂを屋根構造体に取付けるために、第２屋根材１０ｂに形成された第１係合孔６に係合部材１１を挿通して、第２屋根材１０ｂおよび野地板９に係合部材１１を係合させる。これによって、第２屋根材１０ｂと野地板９とが連結される。
【００７５】
第２屋根材一体型モジュール１ｂの流れ方向Ａ下流側の端部は、第２屋根材一体型モジュール１ｂよりも流れ方向Ａ下流側の第２屋根材１０ｂの上部に積載される。第２屋根材一体型モジュール１ｂを屋根構造体に取付けるために、第２屋根材一体型モジュール１ｂの不燃材基板２に形成された第１係合孔６に係合部材１１を挿通して、第２屋根材一体型モジュール１ｂおよび野地板９に係合部材１１を係合させる。これによって、第２屋根材一体型モジュール１ｂと野地板９とが連結される。
【００７６】
以上のように、流れ方向Ａ上流側の屋根材１０または屋根材一体型モジュール１が、流れ方向Ａ下流側の屋根材１０または屋根材一体型モジュール１と野地板９との係合部分を覆い隠すようにして、屋根材一体型モジュール１およびその周辺の屋根材１０が屋根構造体の上面に取付けられる。
【００７７】
屋根構造体の上面に取付けられた所定の屋根材一体型モジュール１に、たとえば他の屋根材一体型モジュール１を重ね合わせるときは、屋根構造体の上面に取付けられた屋根材一体型モジュール１に含まれる不燃材基板２の第３辺Ｌ３と第４辺Ｌ４とが連なって形成される頂点の位置に、不燃材基板２の流れ方向Ａ上流側で、かつ桁行方向Ｂの一端部に、桁行方向Ｂに延びて、流れ方向Ａに並んで形成される２つの切欠きの中央位置を合わせる。これによって、隣り合う屋根材一体型モジュール１の隙間から雨水が野地板９に到達することを防ぐことができる。
【００７８】
次に、前述のようにして屋根構造体の上面に屋根材一体型モジュール１を取付けた後で、屋根材一体型モジュール１の故障、劣化および寿命などに起因して、屋根材一体型モジュール１の交換作業を行う場合について説明する。
【００７９】
屋根材一体型モジュール１の交換作業を行う場合には、まず屋根構造体の上面に取付けられた屋根材一体型モジュール１を取外す必要がある。本実施形態において、屋根材一体型モジュール１を取外すときには、第１係合孔６に係合部材１１が係合されて屋根構造体の上面に取付けられた状態の屋根材一体型モジュール１を、屋根構造体の棟側である流れ方向Ａ上流側に移動させる。
【００８０】
前述のように屋根材一体型モジュール１を移動させることによって、係合部材１１を、相対的に屋根構造体の軒側である流れ方向Ａ下流側に向かう方向、換言すれば第１係合孔６から第２係合孔７に向かう方向へ連通孔８を通じて移動させる。
【００８１】
さらに、屋根材一体型モジュール１を流れ方向Ａ下流側から流れ方向Ａ上流側に押動して、不燃材基板２と野地板９との係合部分を含む不燃材基板２の流れ方向上流側を、断面形状が係合部材１１の延びる方向に突形状となるように湾曲させる。これによって、係合部材１１の係合状態を解除し、屋根材一体型モジュール１を屋根構造体から取外す。
【００８２】
次に、取外した屋根材一体型モジュール１に代えて、別の屋根材一体型モジュール１を屋根構造体の上面に取付けるときには、まず、新たに屋根構造体の上面に取付ける屋根材一体型モジュール１を流れ方向Ａ下流側から流れ方向Ａ上流側に押動して、不燃材基板２と野地板９との係合部分を含む不燃材基板２の流れ方向上流側を、断面形状が係合部材１１の延びる方向に突形状となるように湾曲させる。そして、新たに屋根構造体の上面に取付ける屋根材一体型モジュール１に形成される第２係合孔７に、取外した屋根材一体型モジュール１と野地板９とに固定されていた係合部材１１を挿通させる。次に、この屋根材一体型モジュール１を、屋根構造体の軒側である流れ方向Ａ下流側に向かう方向へ移動させる。
【００８３】
屋根材一体型モジュール１を流れ方向Ａ上流側から流れ方向Ａ下流側へ移動させることによって、係合部材１１を、相対的に屋根構造体の棟側に向かう方向、換言すれば第２係合孔７から第１係合孔６に向かう方向へ連通孔８を通じて移動させる。そして、係合部材１１を屋根材一体型モジュール１の第１係合孔６に係合させることによって、屋根材一体型モジュール１を屋根構造体の上面に取付ける。
【００８４】
前述のように本実施形態によれば、複数の係合孔５に係合部材１１を係合させるだけで、屋根構造体の上面に屋根材一体型モジュール１を取付けることができるので、従来技術のように太陽電池モジュールの交換作業を行うたびに、釘およびねじ部材を打設および抜脱する必要がなく、かつ釘およびねじ部材に緩みが生じることがない。
【００８５】
したがって、屋根構造体の上面に屋根材一体型モジュール１を取付けた後で、屋根材一体型モジュール１の屋根構造体に対する安定性が悪化することを防止することができる。また、屋根材一体型モジュール１の屋根構造体に対する安定性が悪化することを防止することができるので、従来技術のように釘およびねじ部材を打設するための貫通孔を新たに形成する必要がなく、不要な貫通孔を形成しなくて済む。
【００８６】
また、屋根材一体型モジュール１の交換作業時において、屋根材一体型モジュール１を所定の方向に移動させるだけで、係合部材１１の係合状態を解除し、屋根構造体に取付けた屋根材一体型モジュール１を取外すことができるので、たとえば釘抜きおよびドライバなどの専用工具を用いずに、容易に屋根材一体型モジュール１の交換作業を行うことができる。これによって、利便性が向上する。
【００８７】
さらに、屋根構造体に固定されている係合部材１１を、屋根材一体型モジュール１に形成される複数の係合孔５に同時に係合させることができるので、屋根構造体の上面に屋根材一体型モジュール１を容易かつ短時間に取付けることができる。
【００８８】
前述の実施形態において、屋根材一体型モジュール１は、屋根材１０と同形状に形成されるので、屋根構造体の上面に取付けられる野地板９と屋根材１０との間に形成される領域に、薄型コネクタ一体型ケーブル４を配線することができる。したがって、屋根材一体型モジュール１を所定の方向、本実施形態では屋根構造体の流れ方向Ａ上流側および下流側に移動させて屋根材一体型モジュール１の交換作業を行うときに、コネクタを引出すことができ、配線の付替えを容易に行うことができる。
【００８９】
図５は、本発明の他の実施形態である屋根材１０の屋根構造体に対する取付構造を簡略化して示す断面図である。本実施形態の屋根材は、前述の実施形態の屋根材１０と同様の構成であるので、同一の参照符を付して説明を省略する。
【００９０】
以下の説明において、図５に示す矢符Ａの方向、すなわち屋根構造体の棟側から軒側へ向かう方向を「流れ方向Ａ」と表記する場合がある。また、屋根構造体の棟側を「流れ方向Ａ上流側」、屋根構造体の軒側を「流れ方向Ａ下流側」と表記する場合がある。前記屋根構造体は、たとえば木造建築物である。
【００９１】
以下に、屋根構造体に対する第１屋根材１０ａ、第２屋根材１０ｂ、第３屋根材１０ｃおよび第４屋根材１０ｄの取付方法について説明する。以下の説明において、不特定の屋根材を示す場合、「屋根材１０」のように、参照符において添え字「ａ」、「ｂ」、「ｃ」および「ｄ」を省略することがある。
【００９２】
屋根構造体の上面には、流れ方向Ａ上流側の屋根材１０が、流れ方向Ａ下流側の屋根材１０と野地板９との係合部分を覆い隠すようにして積載される。本実施形態では、図５に示すように、屋根構造体の流れ方向Ａ下流側から流れ方向Ａ上流側に向かって順に、第１屋根材１０ａ、第２屋根材１０ｂ、第３屋根材１０ｃおよび第４屋根材１０ｄが積載される。ただし、屋根構造体の鉛直上方から屋根構造体を見たとき、野地板９の厚み方向一方側の表面に関して、流れ方向Ａに垂直な方向（以下、「桁行方向」と表記する場合がある）に、屋根材１０を敷設してから、流れ方向Ａ上流側に、屋根材１０の積載を進めていく。
【００９３】
本実施形態では、流れ方向Ａ下流側の最下段における第１屋根材１０ａに形成された第１係合孔６に係合部材１１を挿通して、第１屋根材１０ａおよび野地板９に係合部材１１を係合させる。これによって、第１屋根材１０ａと野地板９とが連結される。流れ方向Ａ下流側の最下段は、スターターと呼称され、流れ方向Ａに関して葺き足の長さ寸法の短い屋根材１０または葺き足のない屋根材が野地板９に連結され、その後に屋根材一体型モジュール１または屋根材１０がスターターの上部に重ねられて野地板９に連結される。ここで、本実施形態の係合部材１１は、たとえば釘およびボルトによって実現される。
【００９４】
第１屋根材１０ａよりも流れ方向Ａ上流側の第２屋根材１０ｂにおける流れ方向Ａ下流側の端部は、第１屋根材１０ａの上部に積載される。第２屋根材１０ｂを屋根構造体に取付けるために、第２屋根材１０ｂに形成された第１係合孔６に係合部材１１を挿通して、第２屋根材１０ｂおよび野地板９に係合部材１１を係合させる。これによって、第２屋根材１０ｂと野地板９とが連結される。
【００９５】
第２屋根材１０ｂよりも流れ方向Ａ上流側の第３屋根材１０ｃにおける流れ方向Ａ下流側の端部は、第２屋根材１０ｂの上部に積載される。第３屋根材１０ｃを屋根構造体に取付けるために、第３屋根材１０ｃに形成された第１係合孔６に係合部材１１を挿通して、第３屋根材１０ｃおよび野地板９に係合部材１１を係合させる。これによって、第３屋根材１０ｃと野地板９とが連結される。
【００９６】
第３屋根材１０ｃよりも流れ方向Ａ上流側の第４屋根材１０ｄにおける流れ方向Ａ下流側の端部は、第３屋根材１０ｃの上部に積載される。第４屋根材１０ｄを屋根構造体に取付けるために、第４屋根材１０ｄに形成された第１係合孔６に係合部材１１を挿通して、第４屋根材１０ｄおよび野地板９に係合部材１１を係合させる。これによって、第４屋根材１０ｄと野地板９とが連結される。
【００９７】
前述のように、流れ方向Ａ上流側の屋根材１０が、流れ方向Ａ下流側の屋根材１０と野地板９との係合部分を覆い隠すようにして、屋根材１０が屋根構造体の上面に取付けられる。屋根構造体の上面に取付けられた所定の屋根材１０に、たとえば他の屋根材１０を重ね合わせるときは、屋根構造体の上面に取付けられた屋根材１０の第３辺Ｍ３と第４辺Ｍ４とが連なって形成される頂点の位置に、屋根材１０の流れ方向Ａ上流側で、かつ桁行方向Ｂの一端部に、桁行方向Ｂに延びて、流れ方向Ａに並んで形成される２つの切欠きの中央位置を合わせる。これによって、隣り合う屋根材１０との隙間から雨水が野地板９に到達することを防ぐことができる。
【００９８】
次に、前述のようにして屋根構造体の上面に屋根材１０を取付けた後で、飛来物による損傷、劣化および寿命などに起因して、屋根材１０の交換作業を行う場合について説明する。
【００９９】
屋根材１０の交換作業を行う場合には、まず屋根構造体の上面に取付けられた屋根材１０を取外す必要がある。本実施形態において、屋根材１０を取外すときには、第１係合孔６に係合部材１１が係合されて屋根構造体の上面に取付けられた状態の屋根材１０を、屋根構造体の棟側である流れ方向Ａ上流側に移動させる。
【０１００】
前述のように屋根材１０を移動させることによって、係合部材１１を、相対的に屋根構造体の軒側である流れ方向Ａ下流側に向かう方向、換言すれば第１係合孔６から第２係合孔７に向かう方向へ連通孔８を通じて移動させる。係合部材１１を第２係合孔７に移動させた後は、取外す対象となる屋根材１０を部分的に覆っている屋根材１０の流れ方向Ａ下流側の一端部を鉛直上方に屈曲させた状態で、対象となる屋根材１０を、係合部材１１の延びる方向に引上げることによって、係合部材１１の係合状態を解除し、屋根材１０を屋根構造体から取外す。
【０１０１】
次に、取外した屋根材１０に代えて、別の屋根材１０を屋根構造体の上面に取付けるときには、まず、新たに屋根構造体の上面に取付ける屋根材１０よりも流れ方向Ａ上流側に位置し、新たに取付ける屋根材１０の一部を覆うようにして積載される屋根材１０の流れ方向Ａ下流側の一端部を鉛直上方に屈曲させる。この状態で、新たに屋根構造体の上面に取付ける屋根材１０に形成される第２係合孔７に、取外した屋根材１０と野地板９とに固定されていた係合部材１１を挿通させる。
【０１０２】
次に、この屋根材１０を、屋根構造体の軒側である流れ方向Ａ下流側へ移動させる。屋根材１０を流れ方向Ａ下流側へ移動させることによって、係合部材１１を、相対的に屋根構造体の棟側に向かう方向、換言すれば第２係合孔７から第１係合孔６に向かう方向へ連通孔８を通じて移動させる。これによって、係合部材１１を屋根材１０の第１係合孔６に係合させ、屋根材１０を屋根構造体の上面に取付ける。
【０１０３】
前述のように本実施形態によれば、屋根材１０に形成される複数の係合孔５に係合部材１１を係合させるだけで、屋根構造体の上面に屋根材１０を取付けることができるので、従来技術のように太陽電池モジュールなどの屋根設置体の交換作業を行うたびに、釘およびねじ部材を打設および抜脱する必要がなく、かつ釘およびねじ部材に緩みが生じることがない。
【０１０４】
したがって、屋根構造体の上面に屋根材１０を取付けた後で、屋根材１０の屋根構造体に対する安定性が悪化することを防止することができる。また、屋根材１０の屋根構造体に対する安定性が悪化することを防止することができるので、従来技術のように釘およびねじ部材を打設するための貫通孔を新たに形成する必要がなく、不要な貫通孔を形成しなくて済む。
【０１０５】
また、屋根材１０の交換作業時において、屋根材１０を所定の方向に移動させるだけで、係合部材１１の係合状態を解除し、屋根構造体に取付けた屋根材１０を取外すことができるので、たとえば釘抜きおよびドライバなどの専用工具を用いずに、容易に屋根材１０の交換作業を行うことができる。これによって、利便性が向上する。さらに、屋根構造体に固定されている係合部材１１を、屋根材１０に形成される複数の係合孔５に同時に係合させることができるので、屋根構造体の上面に屋根材１０を容易かつ短時間に取付けることができる。
【０１０６】
前述の実施形態において、屋根材一体型モジュール１および屋根材１０に形成される係合孔５の連通孔８は、直線状に形成した場合について述べたが、本発明の他の実施形態では、前述の直線形状に限らず、たとえば曲線状およびＺ字状に形成された場合でも、好適に実施することができる。
【０１０７】
前述の実施形態では、屋根材１０としてスレート屋根材を適用した場合について述べたが、これに限らず、係合部材１１が係合可能な係合孔５を形成可能な材質の屋根材であれば、好適に実施することができる。
【図面の簡単な説明】
【０１０８】
【図１】本発明の実施の一形態である屋根材一体型太陽電池モジュール１の屋根構造体に対する取付構造を簡略化して示す断面図である。
【図２】屋根構造体に取付けられた屋根材一体型太陽電池モジュール１を示す正面図である。
【図３】屋根構造体に取付けられた屋根材１０を示す正面図である。
【図４】屋根材一体型太陽電池モジュール１および屋根材１０に形成される係合孔５を拡大して示す正面図である。
【図５】本発明の他の実施形態である屋根材１０の屋根構造体に対する取付構造を簡略化して示す断面図である。
【符号の説明】
【０１０９】
１  屋根材一体型太陽電池モジュール
２  不燃材基板
３  太陽電池モジュール
３ａ  太陽電池セル
４  薄型コネクタ一体型ケーブル
５  係合孔
６  第１係合孔
７  第２係合孔
８  連通孔
９  野地板
１０  屋根材
１１  係合部材
【図１】
2005194831.tif 000003
【図２】
2005194831.tif 000004
【図３】
2005194831.tif 000005
【図４】
2005194831.tif 000006
【図５】
2005194831.tif 000007